(57)【要約】  調整器本体（１０１）を有する流量制御調整器アセンブリ（１００）であって、この調整器本体（１０１）が、調整器本体（１０１）の流入口を流量ポートに連結する流入路（１４１）と、流量ポートを調整器本体（１０１）の流出ポート（１１３）に連結する流出路（１４９）とを含む。流出路（１４９）の最小断面積は、流入路（１４１）の最大断面積よりも大きい。
2014507700.tif 000002
【特許請求の範囲】
【請求項１】
ガス流量調整器アセンブリであって、当該アセンブリが：
ガス流入ポートに連結されたキャビティを有する調整器本体と；
流量バルブ・ポートに連結された、前記調整器本体のガスの流れを制御するバルブ・アセンブリと；
圧力計ポートに連結された圧力計アセンブリと；
内部を通じて流れる前記ガスの流量を監視するとともに、流量ポートに連結された流量監視アセンブリと；
該流量監視アセンブリを前記流量ポートに連結する流量監視アセンブリ・アダプタ（１０２）であって、該アダプタが、同アダプタを通じた流入流路を有する、流量監視アセンブリ・アダプタと；
前記ガスが前記調整器本体から出る流出ポートと；を備え、
前記調整器本体はさらに、ガスの少なくとも一部の流れを、前記ガス流入ポートから前記流量ポートと前記流入流路とに供給する流入路（１４１）と、前記ガスの少なくとも一部を前記流出ポートに流すべく、前記流量ポートを前記流出ポートに連結する流出路（１４９）とを備え、
該流出路（１４９）の最小断面積が、前記流入流路の最大断面積よりも大きい、
ガス流量調整器アセンブリ。
【請求項２】
ガス流量調整器本体であって、当該調整器本体が：
ガス流入ポートに連結されたキャビティを有する調整器本体と；
ガスの流量を測定するためにガスが流される流量ポートと；
該流量ポートに連結された流量監視アセンブリ・アダプタであって、該アダプタを通じた流入流路を有する、流量監視アセンブリ・アダプタと；
ガスが前記調整器本体から出る流出ポートと；を備え、
前記調整器本体がさらに、ガスの少なくとも一部の流れを、前記ガス流入ポートから前記流量ポートと前記流入流路とに供給する流入路（１４１）と、前記ガスの少なくとも一部を前記流出ポートに流すべく、前記流量ポートを前記流出ポートに連結する前記流出路（１４９）とを備え、
該流出路（１４９）の最小断面積が、前記流入流路の最大断面積よりも大きい、
ガス流量調整器本体。
【請求項３】
前記流出路（１４９）の最小断面積は、前記流入流路の最大断面積よりも少なくとも１５％大きい、
請求項１又は２に記載のガス流量調整器アセンブリ又はガス流量調整器本体。
【請求項４】
前記流出路（１４９）の最小断面積は、前記流入流路の最大断面積よりも１０〜３０％大きい、
請求項１〜３のいずれか一項に記載のガス流量調整器アセンブリ又はガス流量調整器本体。
【請求項５】
前記流出路（１４９）の最小断面積と前記流入路（１４１）の最小断面積とが両方とも、前記流入流路の最大断面積よりも少なくとも１５％大きい、
請求項１〜４のいずれかに一項に記載のガス流量調整器アセンブリ又はガス流量調整器本体。
【請求項６】
前記流出路（１４９）の最小断面積と前記流入路（１４１）の最小断面積とが両方とも、前記流入流路の最大断面積よりも１０％〜３０％大きい、
請求項１〜５のいずれかに一項に記載のガス流量調整器アセンブリ又はガス流量調整器本体。
【請求項７】
前記流量監視アセンブリ・アダプタはさらに、返送流路（１４５）と、前記流出路（１４９）に連結された返送チャンバとを備えている、
請求項１〜６のいずれかに一項に記載のガス流量調整器アセンブリ又はガス流量調整器本体。
【請求項８】
前記流出路（１４９）の最小断面積と前記返送流路（１４５）の最小断面積とが両方とも、前記流入流路の最大断面積よりも少なくとも１５％大きい、
請求項７に記載のガス流量調整器アセンブリ又はガス流量調整器本体。
【請求項９】
前記流出路（１４９）の最小断面積と前記返送流路（１４５）の最小断面積とが両方とも、前記流入流路の最大断面積よりも１０％〜３０％大きい、
請求項７又は８に記載のガス流量調整器アセンブリ又はガス流量調整器本体。
【発明の詳細な説明】
【技術分野】
【０００１】
本発明に一致する装置、システム、及び方法は、一体化されたガス流量調整器と流量計とを提供するための方法及び装置に関するものである。
【背景技術】
【０００２】
ガス金属アーク溶接（ＧＭＡＷ）等の特定の種類の溶接作業中に、シールドガスが使用される。これらのシールドガスは、例えばアルゴン又は二酸化炭素とすることができる。シールドガスは、典型的には、（２０．６８４ＭＰａ（３，０００ｐｓｉ）と同じ位高くなり得る）高圧タンク又はガス供給源から溶接作業箇所に配送される。ガスの供給源の圧力は高いが、溶接作業箇所に必要なガスの圧力は、典型的には、６８．９４７６〜３４４．７３８ｋＰａ（１０〜５０ｐｓｉ）であり非常に低い。さらに、典型的には、溶接部におけるシールドガスの流量を一定流量に制御することが必要になる。
【先行技術文献】
【特許文献】
【０００３】
【特許文献１】米国特許第６，４８４，７５０号明細書
【特許文献２】米国特許第３，５８６，０４５号明細書
【特許文献３】米国特許第５，３９８，７２１号明細書
【発明の概要】
【発明が解決しようとする課題】
【０００４】
このため、典型的には、ガスの供給源（例えば、タンク）と溶接作業箇所との間のガス流ラインにガス流量調整器とガス流量計とを有することが必要となる。典型的には、ガス流量調整器と流量計との各々は、別個の構成要素であり、従って、二以上の異なる装置をガスラインに接続することが必要になる。この構成によって、ガスを使用するコストと複雑さとが増大する。
【課題を解決するための手段】
【０００５】
この問題を克服するために、請求項１によるガス流量調整器アセンブリと、請求項２によるガス流量調整器本体とが、説明される。具体的に好ましい実施例が、従属請求項から得ることができる。本発明の例示的な実施形態は、ガス流入ポートに連結されたキャビティを含む調整器本体を有するガス流量調整器アセンブリと、流量バルブ・ポートに連結された流量バルブ・アセンブリに連結されたバルブ・アセンブリとを有する。このバルブ・アセンブリは、調整器本体のガスの流れを制御する。そのガス流量調整器アセンブリはさらに、圧力計ポートに連結された圧力計アセンブリと、流量監視アセンブリを通じて流れるガスの流量を監視するとともに流量ポートに連結された流量監視アセンブリと、ガスが調整器本体から出る流出ポートとを有する。調整器本体は、ガスの少なくとも一部の流れを、流入ポートから流量ポートに供給するような流入路と、ガスを流出ポートに流すべく、流量ポートを流出ポートに連結する流出路とを有する。ここで、流出路の最小断面積が、流入路の最大断面積よりも大きい。
【図面の簡単な説明】
【０００６】
【図１】本発明の流量調整器アセンブリの例示的な実施形態の概略表現を例示する図である。
【図２】図１に示された本発明の流量調整器アセンブリの例示的な実施形態のさらなる概略表現を例示する図である。
【図３】本発明の例示的な実施形態において用いられる流量バルブ・アセンブリの概略表現を例示する図である。
【図４】本発明の例示的な実施形態による調整器本体の断面の概略表現を例示する図である。
【発明を実施するための形態】
【０００７】
本発明の上述した態様及び／又は他の態様が、添付の図面を参照して本発明の例示的な実施形態を詳細に説明することによってより明らかになるであろう。
【０００８】
本発明の例示的な実施形態がここで、添付の図面を参照して以下に説明される。説明される例示的な実施形態は、本発明の理解を助けることを意図しており、決して本発明の範囲を制限するものではない。同様な参照符号は、全体を通して同じ要素を指す。
【０００９】
ここで図１及び図２を参照すると、本発明の例示的な実施形態が示されている。具体的には、本発明のガス流量調整器アセンブリ１００の実施形態が示されている。このガス流量調整器アセンブリ１００は、調整器本体１０１と、バルブ・アセンブリ１３９と、圧力計（アセンブリ）１０７と、流出継手１０５と、流管アセンブリ（流量監視アセンブリ）
１０３とを含む多数の部品を含んでいる。ガス流量調整器アセンブリ１００は、（例えば）アルゴン等のガスの流量を制御すること及び（タンク等の）ガス供給源からのガスの圧力を監視することの双方を行う。本発明の実施形態は、ガスの供給源からの圧力に依存しない一定の流量を供給する。
【００１０】
具体的には、従来技術のガス流量調整器において、溶接プロセスは、ガス流を調整器の流出口において開始したときに、このガス流は、溶接プロセスの開始時にスパイクを含む流れのために、１３７．８９５２〜２０６．８４２８ｋＰａ（２０〜３０ｐｓｉ）まで上昇し得る。この現象は、ガスラインにおいて圧力を上昇させる一方、何らの操作やガスの使用が生じないために発生する。ガス（１３７．８９５２〜２０６．８４２８ｋＰａ（２０〜３０ｐｓｉ））の初期バーストの後に、圧力は、例えば、約２７．７９０４〜３４．４７３８ｋＰａ（４〜５ｐｓｉ）である作動圧力に低下される。しかし、本発明の実施形態を使用するときに、この初期「スパイク」が回避され、且つ所望の作動圧力／流量は、動作のすべての段階の間中ずっと達成される、つまり、流れの初期開始段階から停止段階までずっと達成される。このことは、溶接を含む様々な用途において非常に有利となる。
【００１１】
図１及び図２を再び参照すると、調整器本体１０１は、例えば黄銅を含むが、本発明はこの黄銅に制限されるものではなく、その使用目的に適した任意の適切な材料から作製することができる。調整器本体１０１は、他の部品を接続できるような少なくとも４つのねじ込み式ポートを含んでいる。ガスが、流入ポート１１５を通じて調整器本体１０１に流入する。本発明は、流入ポートに供給されるガスの供給源に制限されるものではなく、タンクやコンプレッサタイプのシステムとすることができる。流入ポート１１５は、この流入ポート１１５がキャビティ１５０とガスの流体連通するように、キャビティ１５０に連結される。
【００１２】
バルブ・ポート１１０は、調整器（バルブ・アセンブリ）１０９の一部であるガス流量バルブ１３９を受容する。示される実施形態では、ガス流量バルブ１３９は、ユーザが特定の操作に必要なガス流の量を調整できるように調整可能であるダイヤフラム式の調整器によって作動される。ダイヤフラム式のガス調整器が示されるが、公知のガス流量バルブの他のタイプは、例えばピストン式流量バルブを含めて用いることができる。圧力又は流量は、ノブ１２３（図２に図示せず）を使用して調整される。ガス流量バルブ１３９は、バルブ・ポート１１０において調整器本体内に挿入され、バルブ・ポート１１０内にバルブ１３９をねじ込むことが可能になるようにねじ切りされている。バルブ・ポート１１０はまた、流入ポート１１５からのガス流が流量バルブ１３９によって制御することができるように、キャビティ１５０に連結されている。ガス流量調整器１０９の構成及び動作は、当業者によって知られており、本明細書では詳細に説明しない。
【００１３】
調整器本体１０１は、流管ポート（流量ポート）１０８をさらに有する。流管アセンブリ１０３が、流管ポート１０８に連結される。流管アセンブリ１０３は、ガス流量調整器アセンブリ１００によって調整されたガスの流量を監視する。図１及び図２に図示される例示的な実施形態では、流管アセンブリ１０３は、流管１１２の内部に流管ボール１０４を含んでいる。この流管ボール１０４は、ガスが流れると着座位置から押し上げられ、そして流管ボールの高さは、流管アセンブリを通るガスの流量に関係する。流管アセンブリ１０３は、流管アダプタ１０２と共に調整器本体１０１に連結される。流管ポートは、流入ポート１１５からのガスの流れが流管ポート１０８に向けられるように、キャビティ１５０に連結される。この構成についてのより詳細な議論が、図４に関して以下に説明されている。動作中に、ガスが、流管ボール１０４を有する中央チャンバ内の流管アセンブリに流入する。ガス流が、流管ボール１０４を押し上げるとともに、流管ボール１０４の周りに流入する。ガスが流管ボール１０４の周りに流入した後に、ガスが、調整器本体１０１内と調整器本体１０１の流出ポート１１３にリダイレクト（再方向付け）される。本発明は、流管アセンブリ１０３の構造によって制限されるものではなく、任意の公知の構造が利用されてもよい。
【００１４】
ガス流が、流管アセンブリ１０３から調整器本体１０１に再び向けられた後に、そのガス流は、流出ポート１１３に向けられ、次いで、例えば溶接作業を含む作業箇所向けられる。
【００１５】
調整器本体１０１は、圧力計ポート１０６も含む。圧力計１０７が、圧力計ポート１０６に連結されるとともに、ガスタンク（図示せず）等の供給源からのガス圧を監視する。この構成により、ユーザは、ガス圧がガスの所望の使用に十分であることを保証するように供給源内に残っているガスの量を決定することができる。本発明は、圧力計１０７のこの構造及び構成に制限されるものではない。任意の公知の構造を用いることもできる。圧力計ポート１０６は、供給源の圧力が圧力計１０７によって正確に測定することができるように、流入ポート１１５に連結される。
【００１６】
本発明の例示的な実施形態では、流入ポート用ナット１１７と、流入ポート用ステム１１９と、流入ポート用ガスケット１２１とが、ガス供給源との連通を容易にするために、流入ポート１１５に連結させることができる。本発明は、この構成に制限されるものではない。
【００１７】
図２では、調整器本体１０１に対して流量バルブ１３９のシールを可能にするためのシール１１１が示されている。しかし、任意の適切なシール方法又はシール手段は、流量バルブ１３９と調整器本体１０１との間の漏れ防止シールを達成するために用いることができる。
【００１８】
ここで図３を参照すると、本発明の流量調整器アセンブリ（バルブ・アセンブリ）１０９の例示的な実施形態が示されている。前述したように、本発明は、図３に示されるバルブ・アセンブリ１０９の構造に制限されるものではなく、任意の流量制御バルブの種類又は構造を用いることができる。図示された実施形態では、流量バルブ・アセンブリ１０９は、調整器本体１０１にねじ込まれる又は固定することができるバルブ部分（流量バルブ）１３９を含んでいる。キャップ１３７とダイヤフラム１３５とが、このバルブ部分１３９に連結されると、そのダイヤフラム１３５の形状はノブ１２３の位置調整に依存して変化することが可能なような柔軟性を有する。スプリング１３１が、プレート１３３と旋回プレート１２９とに当接する。最後に、ボンネット１２７と、識別プレート１２５と、ノブ１２３とが、バルブ・アセンブリ１０９に固定される。ノブ１２３がユーザによって回転されるときに、スプリング１３１によってプレート１３３とダイヤフラム１３５とに加えられた圧縮力が変化する。この変化によって、流入ポート１１５から流管ポート１０８へのガス流量を変化させるようにダイヤフラムの形状の変化が生じて、流量の調整が得られる。流量バルブ（バルブ・アセンブリ）１０９の動作及び構造は、当業者によって十分に理解される。
【００１９】
ここで図４を参照すると、調整器本体１０１の断面が図示されている。前述のように、キャビティ１５０が、調整器本体１０１内にある。流入ポート１１５とバルブ・ポート１１０とは、この図には示されていない。さらに、上述したように、流入ポート１１５は、ガスの流れがバルブ・アセンブリ１０９によって調整された後に、ガスが流入ポート１１５から流管アセンブリ１０３に流れることができるように、キャビティ１５０を介して流管ポート１０８に連結される。ガスは、調整器本体１０１内から流入路１４１を介して流管ポート１０８に流れる。この流入路は、任意の形状とすることができ、示される実施例では、断面が円形である。さらに、本発明は、調整器本体１０１内の流入路１４１の位置調整に制限されるものではない。流管継手１０２はまた、このアダプタ１０２が調整器本体１０１内に固定されるときに、調整器本体１０１の流入路１４１と係合する流路１４３を有している。この流路１４３は、ガスが、流管ポート１０８から流管ボール１０４を収容する流管アセンブリ１０３の中央管に流れることを可能にする。前述のように、ガスが、次に、流管アセンブリ１０３から継手１０２に返送される。継手１０２において、返送ガスは、ガス返送流路１４５を通じて流れる。ガス返送流路１４５は、返送ガスを、継手１０２の溝又は環形状の返送チャンバ１４７に向ける。例示的な実施形態では、継手のチャンバ１４７は、穿孔溝の構成とすることができる。例示的な実施形態では、返送チャンバ１４７は、継手１０２の中心の周りに完全な環状体として形成されている。この形状によって、返送チャンバ１４７は、調整器本体１０１内の返送流路１４５と流出路１４９との間に妨害されない流体連通を提供することが保証される。環形状を採用することにより、設置後の継手１０２の位置調整に拘わらず、返送流路１４５は、調整器本体内の流出路１４９と連通することになる。本発明は、調整器本体１０１内の流出路１４９の形状と位置調整に関して制限されるものではない。
【００２０】
流出路１４９は、流管ポート１０８を流出ポート１１３と流出継手１０５とに連結する。この流出継手１０５は、典型的には、ガス流を作業箇所に向けるようなホース又は他の手段に連結されている。この流出継手は、ガス流が流出継手１０５から出ることを可能にするために流出路１４９に連結された流出流路１５１を有している。この流出流路１５１は、図４に示されるように、継手１０５の中心に存在している。しかしながら、本発明は、この流出流路が、継手１０２において返送チャンバ１４７と同様のチャンバを有することもできるので、この構成に制限されない。
【００２１】
本発明の例示的な実施形態では、ガス返送流路１４５と、返送チャンバ１４７と、流出路１４９と、流入路１４１と、流出流路１５１とのいずれかの最小断面積は、流路１４３の最大断面積よりも大きい。別の言い方をすれば、ガス返送流路１４５と、返送チャンバ１４７と、流出路１４９と、流入路１４１と、流出流路１５１とのそれぞれは、流路１４３の最大断面積より大きいが、この条件下で最小となる断面積を有している。この構成によって、ガス返送流路１４５と、返送チャンバ１４７と、流出路１４９と、流入路１４１と、流出流路１５１内のガスのガス流量が、流路１４３のガス流量を制限しないことを保証するとともに、そのガス流量が上述した属性に基づいて適切に調整されることを保証する。
【００２２】
別の例示的な実施形態では、ガス返送流路１４５と、返送チャンバ１４７と、流出路１４９と、流入路１４１と、流出流路１５１とのそれぞれの最小断面積は、流路１４３の最大断面積よりも少なくとも１５％大きい。さらに別の例示的な実施形態では、ガス返送流路１４５と、返送チャンバ１４７と、流出路１４９と、流入路１４１と、流出流路１５１とのそれぞれの最小断面積は、流路１４３の最大断面積よりも１０〜３０パーセント大きい。
【００２３】
なお、本発明は、流量調整バルブ・アセンブリの使用に制限されるものではなく、ガス流の調整を必要とするあらゆる産業や用途で使用できることに留意されたい。
【００２４】
本発明は、例示的な実施形態を参照して具体的に図示して説明してきたが、本発明は、これらの実施形態に制限されるものではない。なお、形態及び詳細における様々な変更が以下の特許請求の範囲によって規定されるような本発明の精神及び範囲から逸脱することなくなされ得ることが当業者によって理解されるであろう。
【符号の説明】
【００２５】
１００  ガス流量調整器アセンブリ
１０１  ガス流量調整器本体
１０２  流管アダプタ／継手
１０３  流管アセンブリ（流量監視アセンブリ）
１０４  流管ボール
１０５  流出継手
１０６  圧力計ポート
１０７  圧力計（アセンブリ）
１０８  流管ポート（流量ポート）
１０９  ガス流量調整器／流量バルブ（アセンブリ）
１１０  バルブ・ポート
１１１  シール
１１２  流管
１１３  流出ポート
１１５  流入ポート
１１７  流入ポート用ナット
１１９  流入ポート用ステム
１２１  流入ポート用ガスケット
１２３  ノブ
１２５  識別プレート
１２７  ボンネット
１２９  旋回プレート
１３１  スプリング
１３３  プレート
１３５  ダイヤフラム
１３７  キャップ
１３９  ガス流量バルブ、バルブ部分
１４１  流入路
１４３  流路
１４５  ガス返送流路
１４７  返送チャンバ
１４９  流出路
１５０  キャビティ
１５１  流出流路
【図１】
2014507700.tif 000003
【図２】
2014507700.tif 000004
【図３】
2014507700.tif 000005
【図４】
2014507700.tif 000006
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
ガス流量調整器本体であって、当該調整器本体が：
ガス流入ポートに連結されたキャビティと；
ガスの流量を測定するためにガスが流される流量ポート（１０８）と；
該流量ポートに連結された流量監視アセンブリ・アダプタであって、該アダプタを通じた流入流路（１４３）を有する、流量監視アセンブリ・アダプタ（１０２）と；
ガスが前記調整器本体から出る流出ポートと；を備え、
前記調整器本体がさらに、ガスの少なくとも一部の流れを、前記ガス流入ポートから前記流量ポートと前記流入流路（１４３）とに供給する流入路（１４１）と、前記ガスの少なくとも一部を前記流出ポートに流すべく、前記流量ポートを前記流出ポートに連結する前記流出路（１４９）とを備え、
該流出路（１４９）の最小断面積が、前記流入流路（１４３）の最大断面積よりも大きい、
ガス流量調整器本体。
【請求項２】
前記流出路（１４９）の最小断面積は、前記流入流路（１４３）の最大断面積よりも少なくとも１５％大きい、
請求項１に記載のガス流量調整器本体。
【請求項３】
前記流出路（１４９）の最小断面積は、前記流入流路（１４３）の最大断面積よりも１０〜３０％大きい、
請求項１又は２に記載のガス流量調整器本体。
【請求項４】
前記流出路（１４９）の最小断面積と前記流入路（１４１）の最小断面積とが両方とも、前記流入流路（１４３）の最大断面積よりも少なくとも１５％大きい、
請求項１〜３のいずれかに一項に記載のガス流量調整器本体。
【請求項５】
前記流出路（１４９）の最小断面積と前記流入路（１４１）の最小断面積とが両方とも、前記流入流路（１４３）の最大断面積よりも１０％〜３０％大きい、
請求項１〜４のいずれかに一項に記載のガス流量調整器本体。
【請求項６】
前記流量監視アセンブリ・アダプタはさらに、返送流路（１４５）と、前記流出路（１４９）に連結された返送チャンバとを備えている、
請求項１〜５のいずれかに一項に記載のガス流量調整器本体。
【請求項７】
前記流出路（１４９）の最小断面積と前記返送流路（１４５）の最小断面積とが両方とも、前記流入流路（１４３）の最大断面積よりも少なくとも１５％大きい、
請求項６に記載のガス流量調整器本体。
【請求項８】
前記流出路（１４９）の最小断面積と前記返送流路（１４５）の最小断面積とが両方とも、前記流入流路（１４３）の最大断面積よりも１０％〜３０％大きい、
請求項６又は７に記載のガス流量調整器本体。
【請求項９】
ガス流量調整器アセンブリであって、当該アセンブリが：
流量バルブ・ポートに連結されたバルブ・アセンブリであって、該バルブ・アセンブリが、ガス流量調整器本体のガスの流れを制御する、バルブ・アセンブリと；
圧力計ポートに連結された圧力計アセンブリと；
内部を通じて流れるガスの流量を監視するとともに、流量ポート（１０８）に連結された流量監視アセンブリ（１０３）と；を備え、
請求項１〜８のいずれか一項に記載のガス流量調整器本体を有する、
ガス流量調整器アセンブリ。
【手続補正２】
【補正対象書類名】明細書
【補正対象項目名】０００４
【補正方法】変更
【補正の内容】
【０００４】
このため、典型的には、ガスの供給源（例えば、タンク）と溶接作業箇所との間のガス流ラインにガス流量調整器とガス流量計とを有することが必要となる。特許文献１によれば、ガス流量調整器と流量計との各々は、別個の構成要素であり、従って、二以上の異なる装置をガスラインに接続することが必要になる。この構成によって、ガスを使用するコストと複雑さとが増大する。特許文献２又は３によれば、一体化されたガス流量調整器及び流量計のユニットが、説明されている。
【手続補正３】
【補正対象書類名】明細書
【補正対象項目名】０００５
【補正方法】変更
【補正の内容】
【０００５】
流量が従来技術の状態の場合よりもより適切に調整されることを保証するために、請求項１によるガス流量調整器本体と、請求項９によるガス流量調整器アセンブリとが、説明される。具体的に好ましい実施例が、従属請求項から得ることができる。本発明の例示的な実施形態は、ガス流入ポートに連結されたキャビティを含む調整器本体を有するガス流量調整器アセンブリと、流量バルブ・ポートに連結された流量バルブ・アセンブリに連結されたバルブ・アセンブリとを有する。このバルブ・アセンブリは、調整器本体のガスの流れを制御する。そのガス流量調整器アセンブリはさらに、圧力計ポートに連結された圧力計アセンブリと、流量監視アセンブリを通じて流れるガスの流量を監視するとともに、流量ポート又は流管ポートに連結され且つ流量監視アセンブリ・アダプタに連結された流量監視アセンブリ又は流管アセンブリを有する。ガス流量監視アセンブリ又は流管アセンブリは、ガスが調整器本体から出る流出ポートをさらに有する。調整器本体は、ガスの少なくとも一部の流れを、流入ポートから流量ポートに供給するような流入路と、ガスを流出ポートに流すべく、流量ポートを流出ポートに連結する流出路とを有する。ここで、流出路の最小断面積が、流入路の最大断面積よりも大きい。
【国際調査報告】
2014507700.tif 000007
2014507700.tif 000008